(57)【要約】【課題】印刷設定が容易なプリンタを提供する。【解決手段】操作者が頻繁に使用する用紙サイズ、印刷の向き、割付設定、両面印刷、カラー印刷またはモノクロ印刷などの印刷項目の設定値を複数登録する手段と、登録された前記印刷項目の設定値を、印刷設定画面に表示され操作者が選択できるようにする手段と、操作者が選択した印刷項目の設定値に基づいて、プリンタに対して印刷データと印刷出力指令を送信する送信制御手段を備えることを特徴とする。【選択図】  図１
2008204334.tif 000002
【特許請求の範囲】
【請求項１】
操作者が頻繁に使用する用紙サイズ、印刷の向き、割付設定、両面印刷、カラー印刷またはモノクロ印刷などの印刷項目の設定値を複数登録する手段と、登録された前記印刷項目の設定値を、印刷設定画面に表示され操作者が選択できるようにする手段と、操作者が選択した印刷項目の設定値に基づいて、プリンタに対して印刷データと印刷出力指令を送信する送信制御手段を備えることを特徴とするプリンタドライバ。
【請求項２】
請求項１記載のプリンタドライバにおいて、前記印刷設定画面に表示された前記印刷項目の設定値の印刷イメージを前記印刷設定画面に表示することを特徴とするプリンタドライバ。
【請求項３】
請求項１記載のプリンタドライバにおいて、登録された前記印刷項目の設定値を編集及び削除できることを特徴とするプリンタドライバ。
【請求項４】
請求項１乃至３のいずれか１項記載のプリンタドライバの印刷設定方法。
【発明の詳細な説明】
【技術分野】
【０００１】
本発明は、プリンタドライバ及びプリンタドライバの印刷設定方法に関するものである。
【背景技術】
【０００２】
従来のプリンタドライバで印刷を行う場合、操作者は文書作成用ソフトウェアや作図作成用ソフトウェアのアプリケーションプログラム上からプリンタドライバの印刷設定画面を呼び出し、印刷を指示する。操作者は、印刷指示する際に、例えば、用紙サイズ、印刷の向き、割付設定、両面印刷の有無、給紙方法、排紙方法、カラー印刷またはモノクロ印刷、用紙タイプ等の各種パラメータを設定することができる。
【０００３】
操作者が印刷設定を終えて印刷ボタンを操作すると、プリンタドライバは、アプリケーションプログラムから引き渡されたデータを印刷設定に基づいて所定の印刷データに変換する。印刷データは、ローカル接続又はネットワーク接続されたプリンタに送信されて印刷される。
【０００４】
【特許文献１】特開２００１−１５９９６２号公報
【発明の開示】
【発明が解決しようとする課題】
【０００５】
上述した通りどのようにして印刷するかを規定する印刷設定情報は、プリンタドライバ上で設定される。操作者は、印刷設定画面中で所望の値を入力すればよい。しかし、コンピュータに不慣れな操作者にとっては、所望の印刷物を得るまでに手間がかかる。
【０００６】
また、通常、印刷設定は各プリンタ毎に一種類だけしか設定できないため、印刷物の種類等が変わる毎に印刷設定を行う必要があり、手間がかかる。
【０００７】
本発明は、上記のような種々の課題に鑑みなされたものであり、その目的は、容易に印刷設定を行うことができ、使い勝手を向上できるようにしたプリンタドライバを提供することにある。
【課題を解決するための手段】
【０００８】
前記目的を達成するため本発明は、操作者が頻繁に使用する印刷項目の設定値、例えば、用紙サイズ、印刷の向き、割付設定、両面印刷の有無、給紙方法、排紙方法、カラー印刷またはモノクロ印刷、用紙タイプ等の各種パラメータを複数登録する手段と、登録された印刷項目の設定値を、印刷設定画面に表示し操作者が選択できるようにする手段と、操作者が選択した印刷項目の設定値に基づいて、プリンタに対して印刷データと印刷出力指令を送信する手段を有することを特徴とするものである。
【発明の効果】
【０００９】
本発明は前述のような構成になっており、プリンタの印刷において印刷設定時間を短縮することが可能なプリンタドライバを提供することができる。
【発明を実施するための最良の形態】
【００１０】
本発明は、操作者が頻繁に使用する印刷項目の設定値、例えば、用紙サイズ、印刷の向き、割付設定、両面印刷の有無、給紙方法、排紙方法、カラー印刷またはモノクロ印刷、用紙タイプ等の各種パラメータを複数登録する手段と、登録された印刷項目の設定値を、印刷設定画面に表示し操作者が選択できるようにする手段と、操作者が選択した印刷項目の設定値に基づいて、プリンタに対して印刷データと印刷出力指令を送信する手段を有しているプリンタドライバにおいて適用される。
【００１１】
以下、本発明の実施形態を図１とともに説明する。
【００１２】
ホストコンピュータ１００は、アプリケーションプログラム１１０とプリンタドライバ１２０を備えている。プリンタドライバ１２０は、文書作成用ソフトウェアや作図作成用ソフトウェア等のアプリケーションプログラム１１０から印刷を指示されると起動し、所定の印刷データを生成してインターフェース３００を介してプリンタ４００に送信するようになっている。
【００１３】
プリンタドライバ１２０には、アプリケーションプログラム１１０から引き渡されたデータに基づいて所定の印刷データを生成する「印刷データ生成手段」としての印刷データ生成部１２１と操作者がキーボードなどの入力装置２００を用いて、例えば、用紙サイズ、印刷の向き、割付設定、両面印刷の有無、給紙方法、排紙方法、カラー印刷またはモノクロ印刷、用紙タイプ等の各種パラメータを設定することができる印刷設定部１２２とが設けられている。さらに、印刷設定部１２２は、印刷設定の各種パラメータを複数登録し、操作者が印刷設定する際、登録した印刷設定情報を容易に選択することができる。
【００１４】
図２〜７に、本発明のプリンタドライバの印刷設定画面の実施形態を示す。図２は、印刷設定部１２２の印刷設定画面である。印刷設定画面には従来の印刷設定を行える「ドキュメント」、「イメージ」、「フォントの設定」のそれぞれのタブと印刷設定の登録及び選択が行える「簡易印刷設定」タブを備えている。「簡易印刷設定」タブ画面では、登録した印刷設定を選択するための「印刷設定選択」の欄と、図３で示される「印刷設定登録」の画面を呼び出すための「追加」ボタンと、図５で示される「印刷設定編集」の画面を呼び出すための「編集」ボタンと、印刷設定の削除を行うための「削除」ボタンと、「印刷設定選択」で選択した印刷設定の詳細を表示するための「印刷設定の詳細」表示欄と、選択した「設定番号」の印刷設定情報を印刷イメージで表示する「イメージ」の表示欄で構成される。
【００１５】
この画面では、新たに印刷設定を登録したり、印刷設定を編集したり、印刷設定を削除したり、登録されている印刷設定を選択したりすることができる。
【００１６】
印刷設定の登録方法を、図２、図３、図４を用いて説明する。図３の「印刷設定登録」の画面には、これから登録する設定番号の表示欄と、「用紙サイズ」の選択欄と、「用紙タイプ」の選択欄と、「給紙トレイ」の選択欄と、「排紙トレイ」の選択欄と、カラー印刷またはモノクロ印刷を選択する「カラー」の選択欄と、「印刷の向き」の選択欄と、「両面印刷」の選択欄と、両面印刷する際、選択可能になる「長辺綴じ」または「短辺綴じ」の選択欄と、「割付」の指定欄と、選択した印刷設定情報を印刷イメージで表示する「印刷イメージ」の表示欄で構成される。
【００１７】
この画面では、操作者が印刷設定のパラメータを設定して、「OK」ボタンを押下すると印刷設定登録が完了し、図４の「印刷設定」の画面のように「印刷設定選択」の選択欄に印刷設定情報が追加される。
【００１８】
印刷設定の編集方法を、図２と図５と図６を用いて説明する。図２の「編集」ボタンを押下すると、図５の「印刷設定編集」画面が表示され、図２の「印刷設定選択」で選択している「設定番号」の印刷設定情報を編集することができる。「印刷設定登録」の画面には、「用紙サイズ」の選択欄と、「用紙タイプ」の選択欄と、「給紙トレイ」の選択欄と、「排紙トレイ」の選択欄と、カラー印刷またはモノクロ印刷を選択する「カラー」の選択欄と、「印刷の向き」の選択欄と、「両面印刷」の選択欄と、両面印刷する際、選択可能になる「長辺綴じ」または「短辺綴じ」の選択欄と、「割付」の指定欄と、選択した印刷設定情報を印刷イメージで表示する「印刷イメージ」の表示欄で構成される。
【００１９】
この画面では、操作者が印刷設定のパラメータを変更して、「OK」ボタンを押下すると印刷設定編集が完了し、図６のように「印刷設定編集」を行った「設定番号」の印刷設定情報が変更される。
【００２０】
印刷設定の削除方法を、図２と図７を用いて説明する。図２の「削除」ボタンを押すと、「印刷設定選択」で選択している「設定番号」の印刷設定情報が削除され、例えば、設定４の印刷設定情報が削除された際、図７に示すように設定５の印刷設定情報が設定４に、設定６の設定情報が設定５にそれぞれ繰り上げて登録され、設定６は削除される。
【００２１】
印刷設定の選択方法と印刷方法を、図２を用いて説明する。操作者は、「印刷設定選択」の「設定番号」を選択し「OK」ボタンを押下すると、選択した「設定番号」の印刷設定情報に基づいて所定の印刷データに変換される。印刷データは、インターフェースを通ってプリンタに送信されて印刷される。
【００２２】
本発明の実施形態を用いれば、プリンタの印刷において、印刷設定時間を短縮することが可能なプリンタドライバを提供することができる。
【図面の簡単な説明】
【００２３】
【図１】本発明の実施形態に係るプリンタドライバのブロック図である。
【図２】本発明の実施形態に係る印刷設定手段を説明するための説明図である。
【図３】本発明の実施形態に係る印刷設定の登録手段を説明するための説明図である。
【図４】本発明の実施形態に係る印刷設定の登録手段を説明するための説明図である。
【図５】本発明の実施形態に係る印刷設定の編集手段を説明するための説明図である。
【図６】本発明の実施形態に係る印刷設定の編集手段を説明するための説明図である。
【図７】本発明の実施形態に係る印刷設定の削除を説明するための説明図である。
【符号の説明】
【００２４】
１００…ホストコンピュータ  １１０…アプリケーションプログラム  １２０…プリンタドライバ  １２１…印刷データ生成部  １２２…印刷設定部  ２００…入力装置  ３００…インターフェース  ４００…プリンタ。
【図１】
2008204334.tif 000003
【図２】
2008204334.tif 000004
【図３】
2008204334.tif 000005
【図４】
2008204334.tif 000006
【図５】
2008204334.tif 000007
【図６】
2008204334.tif 000008
【図７】
2008204334.tif 000009